(57)【要約】      （修正有）【課題】幅の広い紙袋であっても、フラップ部と両面テープとの接着力を維持する紙袋を提供する。  【解決手段】口部２封緘用のフラップ４のうち、両面テープ６に直接接着する第１乃至第３のフラップ部１０ａ、１１ａ、１２ａの各幅Ｘ，Ｙ，Ｚの各大きさを、第１フラップ部の幅Ｘ＜第３フラップ部の幅Ｚ＜第２フラップ部の幅Ｙと設定するとともに第２フラップ部の幅Ｙ＞２×第１フラップ部の幅Ｚに設定するようにした。【選択図】図１
0003117541.tif 000002
【実用新案登録請求の範囲】
【請求項１】
口部が階段切された３層のチューブ体からなリ、前記口部に突出形成された口部封緘用のフラップが、最内層のチューブ体により形成された第１フラップ部と中間層のチューブ体により形成された第２フラップ部と最外層のチューブ体により形成された第３フラップ部からなり、該フラップを前記紙袋の表面に貼着された両面テープに圧接させて貼着し、前記口部を封緘するようにした紙袋において、
前記フラップのうち、前記両面テープに直接接着する第１乃至第３の各フラップ部の幅の各大きさを、第１フラップ部の幅Ｘ＜第３フラップ部の幅Ｚ＜第２フラップ部の幅Ｙに設定するとともに、
第２フラップ部の幅Ｙ＞２×第３フラップ部の幅Ｚに設定するようにしたことを特徴とする紙袋。
【考案の詳細な説明】
【技術分野】
【０００１】
この考案は紙袋に関し、特に３層のチューブ体から構成され、口部がストレートカットで階段切された袋に関し、特にその口部を封緘するために形成されたフラップの改良に関する。
【背景技術】
【０００２】
一般に、クラフト紙等からなる紙袋では開口した口部から内容物を充填した後、当該内容物の漏洩を防止するため当該口部を封緘するようにしている。なおこのような紙袋の底部は予め封緘処理されていることは言うまでもない。
【０００３】
一方、上述した紙袋の口部を封緘する従来の封緘構造としては図３及び図３のＡＡ断面で示す図４に示したものがある。
【０００４】
この図３に示す紙袋１は、３層の紙のチューブ体からなる紙袋で、口部２が階段切されたひだ付きの紙袋である。
【０００５】
なおこのような紙袋１は、特に収容する内容物として玄米等の比較的重量のある内容物を収容するのに使用される紙袋である。
【０００６】
この紙袋１の封緘構造は、後述する折り曲げ線に沿って図面手前に折り曲げることで口部２を覆うフラップ４と、このフラップ４を紙袋１の紙袋本体表面５に貼着する両面テープ６とから構成されている。なお、この両面テープ６は、口部２に隣接した位置の紙袋本体表面５に、その幅方向に沿って予め貼着されている。
【０００７】
一方、上述した紙袋１のフラップ４は、図４に示す最内層のチューブ体１０により形成された第１フラップ部１０ａと、中間層のチューブ体１１により形成された第２フラップ部１１ａと、最外層のチューブ体１２により形成された第３フラップ部１２ａとから構成されている。
【０００８】
そして、このような紙袋１では、口部２を封緘するために、まず両面テープ６の表面に貼着された剥離紙を剥がし、その後、図３に示す折り曲げ線Ｂに沿ってフラップ４を図面手前に折り曲げ（図４では矢印Ｃ方向）、フラップ４全体を両面テープ６に圧接させて口部２を封緘するようにしている。
【０００９】
なお、上述したフラップ４の両面テープ６への貼着の際、両面テープ６に直接接着する各チューブ体１０，１１，１２のフラップ部１０ａ，１１ａ，１２ａの幅は以下の通りとなっている。
【００１０】
即ち、従来のフラップ４のうち、両面テープ６に直接接着する第１のフラップ部１０ａの幅Ｄ、第２フラップ部１１ａの幅Ｅ、第３フラップ部１２ａの幅Ｆ、の各大きさは第１フラップ部１０ａの幅Ｄ＜第３フラップ部１２ａの幅Ｆ＜第２フラップ部１１ａの幅Ｅの順に形成され、かつ第２フラップ部１１ａの幅Ｅは、第２フラップ部１１ａの幅Ｅ＜２×第３フラップ部１２ａの幅Ｆ、即ち第２フラップ部１１ａの幅Ｅは第３フラップ部１２ａの幅Ｆの二倍以下の値に設定されている。
【００１１】
これは、封緘時における口部２の拡開を防ぐため、最も接着効果が大きい第２フラップ部１１ａの幅Ｅを広く確保するためである。
【００１２】
なお図３で符号１４はひだ部、図４で符号１３は、各チューブ体間を接着する接着剤層である。
【考案の開示】
【考案が解決しようとする課題】
【００１３】
ところで、上述した従来の紙袋１によると、フラップ４を構成する第２フラップ部１１ａの幅Ｅを第３フラップ部１２ａの幅Ｆの二倍以下の値に設定しているが、上述した紙袋１の幅Ｓが広くなると両面テープ６の中央部分に位置するフラップ４への荷重が急激に大きくなり、そのためこの位置におけるフラップ４と両面テープ６との間の接着力不足が発生し、その部分から口部２が拡開してしまう虞があった。
【００１４】
この考案は、上述した事情に鑑み、幅の広い紙袋であっても、フラップ部と両面テープとの接着力を強固に維持する紙袋を提供することを目的とする。
【課題を解決するための手段】
【００１５】
上述した課題を解決するため、この考案では、口部が階段切された３層のチューブ体からなリ、前記口部に突出形成された口部封緘用のフラップが、最内層のチューブ体により形成された第１フラップ部と中間層のチューブ体により形成された第２フラップ部と最外層のチューブ体により形成された第３フラップ部からなり、該フラップを前記紙袋の表面に貼着された両面テープに圧接させて貼着し、前記口部を封緘するようにした紙袋において、前記フラップのうち、前記両面テープに直接接着する第１乃至第３の各フラップ部の幅の各大きさを、第１フラップ部の幅Ｘ＜第３フラップ部の幅Ｚ＜第２フラップ部の幅Ｙに設定するとともに、第２フラップ部の幅Ｙ＞２×第３フラップ部の幅Ｚに設定するようにしたことを特徴としている。
【考案の効果】
【００１６】
上述した、紙袋によると、フラップのうち両面テープに直接接着する第１フラップ部の幅Ｘ、第２フラップ部の幅Ｙ、および第３フラップ部の幅Ｚの各大きさを、第１フラップ部の幅Ｘ＜第３フラップ部の幅Ｚ＜第２フラップ部の幅Ｙと設定するとともに、第２フラップ部の幅Ｙ＞２×第３フラップ部の幅Ｚ、即ち両面テープに直接接着する第２フラップ部の幅Ｙを第３フラップ部の幅Ｚの２倍以上に設定したため、例え紙袋の幅が広くなっても、最も接着効果が大きい両面テープに直接接着する第２フラップ部の幅を従来よりもより一層広く確保することが出来、このためフラップと両面テープとの間の接着力不足が発生する虞が可及的に低減し、これにより幅が広い紙袋であっても、その口部の拡開を防止して、内容物の漏洩を可及的に防止することが出来る。
【考案を実施するための最良の形態】
【００１７】
以下、この考案に係る紙袋の一実施例を詳述する。
【００１８】
図１はこの考案に係る紙袋２０を示す正面図、図２は図１のＡＡ断面図で、図３及び図４と同一部分を同一符号で示す。
【００１９】
この図１に示す紙袋２０も従来例と同様に、３層の紙のチューブ体からなリ、口部２が階段切されたひだ付きの紙袋である。
【００２０】
一方、この紙袋２０のフラップ４も、図２で示すように、従来と同様に最内層のチューブ体１０により形成された第１フラップ部１０ａと、中間層のチューブ体１１により形成された第２フラップ部１１ａと、最外層のチューブ体１２により形成された第３フラップ部１２ａとから構成されている。
【００２１】
また、口部２を封緘するためには、従来と同様に、まず両面テープ６の表面に貼着された剥離紙を剥がし、その後、折り曲げ線Ｂに沿ってフラップ４を図面手前に折り曲げ（図２では矢印Ｃ方向）、フラップ４全体を両面テープ６に圧接させて口部２を封緘するようにしている。
【００２２】
一方、上述した本願考案に係る紙袋２０では、フラップ４の両面テープ６への貼着の際、両面テープ６に直接接着する各チューブ体１０，１１，１２の各フラップ部１０ａ，１１ａ，１２ａの各幅Ｘ，Ｙ，Ｚは従来のものとは異なり、以下のような設定となっている。
【００２３】
即ち、本願考案に係る紙袋２０のフラップ４のうち、両面テープ６に直接接着する第１のフラップ部１０ａの幅Ｘ、第２フラップ部１１ａの幅Ｙ、第３フラップ部１２ａの幅Ｚの各大きさは、
（１）…第１フラップ部１０ａの幅Ｘ＜第３フラップ部１２ａの幅Ｚ＜第２フラップ部１１ａの幅Ｙ
の順に形成され、かつ第２フラップ部１１ａの幅Ｙは、
（２）…第２フラップ部１１ａの幅Ｙ＞２×第３フラップ部１２ａの幅Ｚ、
即ち第２フラップ部１１ａの幅Ｙは第３フラップ部１２ａの幅Ｚの二倍以上の値に設定されている。
【００２４】
このように、第２フラップ部１１ａの幅Ｙを第３フラップ部１２ａの幅Ｚの二倍以上の値に設定すると、封緘時における口部２の拡開を防ぐため、最も接着効果が大きい第２フラップ部１１ａの幅Ｙが従来よりも一層広く（第２フラップ部１１ａが直接両面テー部６に接着する横幅はひだ部１４を除いて約７０％以上）確保されるので、幅Ｓの広い紙袋２０であっても、フラップ４と両面テープ６との間の接着力不足が発生する虞が可及的に低減し、これにより口部２の拡開を防止して、内容物の漏洩を可及的に防止することが出来ることとなる。
【産業上の利用可能性】
【００２５】
以上のように、この考案は、幅の広い紙袋であっても、フラップ部と両面テープとの接着力を維持する紙袋に適している。    
【図面の簡単な説明】
【００２６】
【図１】図１はこの考案に係る紙袋の要部破断正面図。
【図２】図２は図１のＡＡ断面図。
【図３】図３は従来の紙袋の要部破断正面図。
【図４】図４は図３のＡＡ断面図。
【符号の説明】
【００２７】
２…口部
４…フラップ
５…紙袋表面
６…両面テープ
１０…最内層のチューブ体
１０ａ…第１フラップ部
１１…中間層のチューブ体
１１ａ…第２フラップ部
１２…最外層のチューブ体
１２ａ…第３フラップ部
２０…紙袋
Ｘ…第１フラップ部の幅
Ｚ…第３フラップ部の幅
Ｙ…第２フラップ部の幅
【図１】
0003117541.tif 000003
【図２】
0003117541.tif 000004
【図３】
0003117541.tif 000005
【図４】
0003117541.tif 000006